(57)【要約】【課題】  簡素な構成で塵埃吸引部を確実に駆動できる信頼性の高い駆動機構を有する室内ユニットを備えた空気調和機を提供すること。【解決手段】  空気調和機の室内ユニットに、熱交換器の上流側に取り付けられたエアフィルタ１２と、エアフィルタ１２に対向する吸入口を有しエアフィルタ１２に付着した塵埃を吸入するための摺動自在の吸引ノズル１４と、吸引ノズル１４を駆動機構を介して駆動する駆動源と、吸引ノズル１４に連通し空気と共に塵埃を吸引排気する排気装置１８と、排気装置１８と吸引ノズル１４とを連通する連通手段とを設けた。また、駆動機構を、駆動源３６に連結された駆動軸３２と、駆動軸３２に摺動自在に取り付けられ吸引ノズル１４と一体的に摺動するウォームギヤ３４と、ウォームギヤ３４と噛み合うラック３０とにより構成した。【選択図】図４
2006132903.tif 000002
【特許請求の範囲】
【請求項１】
熱交換器と該熱交換器で熱交換された空気を室内に吹き出すファンとを本体に収容した室内ユニットを有する空気調和機であって、
前記熱交換器の上流側の前記本体に取り付けられたエアフィルタと、該エアフィルタに対向する吸入口を有しエアフィルタに付着した塵埃を吸入するための摺動自在の吸引ノズルと、該吸引ノズルを駆動機構を介して駆動する駆動源と、前記吸引ノズルに連通し空気と共に塵埃を吸引排気する排気装置と、該排気装置と前記吸引ノズルとを連通する連通手段とを備え、前記駆動機構を、前記駆動源に連結された駆動軸と、前記駆動軸に摺動自在に取り付けられ前記吸引ノズルと一体的に摺動するウォームギヤと、該ウォームギヤと噛み合うラックとにより構成したことを特徴とする空気調和機。
【請求項２】
前記本体が前記エアフィルタを取り付けるためのフィルタ枠を有し、前記ラックを前記フィルタ枠に一体的に形成したことを特徴とする請求項１に記載の空気調和機。
【請求項３】
前記駆動軸の撓み防止手段を前記フィルタ枠に設けたことを特徴とする請求項１に記載の空気調和機。
【請求項４】
前記吸引ノズルがガイド溝を有するローラを備え、該ローラを前記フィルタ枠に設けられたレールに摺動自在に取り付け、前記撓み防止手段を前記レールに一体的に形成された凸部により構成し、該凸部を前記ガイド溝に遊挿したことを特徴とする請求項３に記載の空気調和機。
【請求項５】
熱交換器と該熱交換器で熱交換された空気を室内に吹き出すファンとを本体に収容した室内ユニットを有する空気調和機であって、
前記熱交換器の上流側の前記本体に取り付けられたエアフィルタと、該エアフィルタに対向する吸入口を有しエアフィルタに付着した塵埃を吸入するための摺動自在の吸引ノズルと、該吸引ノズルを駆動機構を介して駆動する駆動源と、前記吸引ノズルに連通し空気と共に塵埃を吸引排気する排気装置と、該排気装置と前記吸引ノズルとを連通する連通手段とを備え、前記駆動機構を、前記駆動源に連結され雄ねじが形成された駆動軸と、前記吸引ノズルに取り付けられ前記雄ねじと螺合する雌ねじとにより構成したことを特徴とする空気調和機。
【請求項６】
前記駆動源がステッピングモータを備えたことを特徴とする請求項１乃至５のいずれか１項に記載の空気調和機。
【請求項７】
前記吸引ノズルが所定の方向に摺動するベルトを備え、該ベルトに所定長さの吸引孔を形成したことを特徴とする請求項１乃至６のいずれか１項に記載の空気調和機。
【請求項８】
空気調和機の停止中に、前記吸引ノズルを１方向に摺動させて前記エアフィルタの一部を清掃し、さらに前記吸引孔を前記１方向と直交する方向に前記吸引孔の長さだけ移動させた後、前記吸引ノズルを前記１方向の逆方向に摺動させて前記エアフィルタの別の一部を清掃するように制御することを特徴とする請求項７に記載の空気調和機。
【請求項９】
前記吸引ノズルの作動不良を検出するノズル作動不良検出手段を前記フィルタ枠に取り付けたことを特徴とする請求項８に記載の空気調和機。
【請求項１０】
前記ノズル作動不良検出手段が前記フィルタ枠に取り付けられたリミットスイッチであり、所定時間内に該リミットスイッチに入力がなかった場合に前記吸引ノズルが所定の位置に到達していないと判断するようにしたことを特徴とする請求項９に記載の空気調和機。
【発明の詳細な説明】
【技術分野】
【０００１】
本発明は、室内ユニットの空気吸込口に設けられたエアフィルタを自動的に清掃する機能を備えた空気調和機に関する。
【背景技術】
【０００２】
従来の空気調和機の室内ユニットにおいては、本体内部への塵埃の侵入を防止するためのエアフィルタが熱交換器の前面に設けられており、エアフィルタは付着した塵埃を除去できるようにフィルタ枠に着脱自在に取り付けられている。
【０００３】
最近では、エアフィルタをフィルタ枠から取り外すことなくエアフィルタに付着した塵埃を自動的に除去できるようにした空気調和機も提案されている（例えば、特許文献１参照。）。
【０００４】
この空気調和機にあっては、エアフィルタを清掃するための清掃装置が、エアフィルタを回動させる回動手段と、エアフィルタ上の塵埃を除去する塵埃除去手段と、塵埃を収納する塵埃収納部とで構成され、塵埃除去手段は、エアフィルタ上を移動自在に取り付けられた塵埃吸引部と、本体内に設けられた吸引ファン部と、塵埃吸引部と吸引ファン部とを連結する吸引ダクト部とで構成されている。また、エアフィルタ上には固定レールが設けられ、固定レールの一端あるいは本体の一部には巻き取りモータが設けられるとともに、巻き取りモータと塵埃吸引部とは巻き取り式の薄板ばねで連結されており、巻き取りモータを駆動することにより薄板ばねが巻き取られ、塵埃吸引部が移動するように構成されている。
【０００５】
【特許文献１】特開２００２−３４０３９５号公報（第３頁、図１）
【発明の開示】
【発明が解決しようとする課題】
【０００６】
特許文献１に記載の空気調和機においては、巻き取りモータによる塵埃吸引部を駆動して塵埃を吸引する構成ではあるが、その駆動機構が十分開示されているとは言い難く、簡素な構成で信頼性の高い駆動機構が求められていた。
【０００７】
本発明は、従来技術の有するこのような問題点に鑑みてなされたものであり、簡素な構成で塵埃吸引部を確実に駆動できる信頼性の高い駆動機構を有する室内ユニットを備えた空気調和機を提供することを目的としている。
【課題を解決するための手段】
【０００８】
上記目的を達成するために、本発明のうちで請求項１に記載の発明は、熱交換器と該熱交換器で熱交換された空気を室内に吹き出すファンとを本体に収容した室内ユニットを有する空気調和機であって、前記熱交換器の上流側の前記本体に取り付けられたエアフィルタと、該エアフィルタに対向する吸入口を有しエアフィルタに付着した塵埃を吸入するための摺動自在の吸引ノズルと、該吸引ノズルを駆動機構を介して駆動する駆動源と、前記吸引ノズルに連通し空気と共に塵埃を吸引排気する排気装置と、該排気装置と前記吸引ノズルとを連通する連通手段とを備え、前記駆動機構を、前記駆動源に連結された駆動軸と、前記駆動軸に摺動自在に取り付けられ前記吸引ノズルと一体的に摺動するウォームギヤと、該ウォームギヤと噛み合うラックとにより構成したことを特徴とする。
【０００９】
また、請求項２に記載の発明は、前記本体が前記エアフィルタを取り付けるためのフィルタ枠を有し、前記ラックを前記フィルタ枠に一体的に形成したことを特徴とする。
【００１０】
また、請求項３に記載の発明は、前記駆動軸の撓み防止手段を前記フィルタ枠に設けたことを特徴とする。
【００１１】
また、請求項４に記載の発明は、前記吸引ノズルがガイド溝を有するローラを備え、該ローラを前記フィルタ枠に設けられたレールに摺動自在に取り付け、前記撓み防止手段を前記レールに一体的に形成された凸部により構成し、該凸部を前記ガイド溝に遊挿したことを特徴とする。
【００１２】
さらに、請求項５に記載の発明は、熱交換器と該熱交換器で熱交換された空気を室内に吹き出すファンとを本体に収容した室内ユニットを有する空気調和機であって、前記熱交換器の上流側の前記本体に取り付けられたエアフィルタと、該エアフィルタに対向する吸入口を有しエアフィルタに付着した塵埃を吸入するための摺動自在の吸引ノズルと、該吸引ノズルを駆動機構を介して駆動する駆動源と、前記吸引ノズルに連通し空気と共に塵埃を吸引排気する排気装置と、該排気装置と前記吸引ノズルとを連通する連通手段とを備え、前記駆動機構を、前記駆動源に連結され雄ねじが形成された駆動軸と、前記吸引ノズルに取り付けられ前記雄ねじと螺合する雌ねじとにより構成したことを特徴とする。
【００１３】
また、請求項６に記載の発明は、前記駆動源がステッピングモータを備えたことを特徴とする。
【００１４】
また、請求項７に記載の発明は、前記吸引ノズルが所定の方向に摺動するベルトを備え、該ベルトに所定長さの吸引孔を形成したことを特徴とする。
【００１５】
また、請求項８に記載の発明は、空気調和機の停止中に、前記吸引ノズルを１方向に摺動させて前記エアフィルタの一部を清掃し、さらに前記吸引孔を前記１方向と直交する方向に前記吸引孔の長さだけ移動させた後、前記吸引ノズルを前記１方向の逆方向に摺動させて前記エアフィルタの別の一部を清掃するように制御することを特徴とする。
【００１６】
また、請求項９に記載の発明は、前記吸引ノズルの作動不良を検出するノズル作動不良検出手段を前記フィルタ枠に取り付けたことを特徴とする。
【００１７】
また、請求項１０に記載の発明は、前記ノズル作動不良検出手段が前記フィルタ枠に取り付けられたリミットスイッチであり、所定時間内に該リミットスイッチに入力がなかった場合に前記吸引ノズルが所定の位置に到達していないと判断するようにしたことを特徴とする。
【発明の効果】
【００１８】
本発明によれば、吸引ノズルを駆動する駆動機構を、駆動源に連結された駆動軸と、駆動軸に摺動自在に取り付けられ吸引ノズルと一体的に摺動するウォームギヤと、このウォームギヤと噛み合うラックとにより、あるいは、駆動源に連結され雄ねじが形成された駆動軸と、吸引ノズルに取り付けられ雄ねじと螺合する雌ねじとにより構成したので、駆動機構の部品点数が少なく構成が簡素で、かつ、吸引ノズルを確実に摺動させることが可能になるとともに、駆動源による駆動軸の回転制御が容易で信頼性の高い駆動機構を備えた空気調和機を提供することができる。
【発明を実施するための最良の形態】
【００１９】
以下、本発明の実施の形態について、図面を参照しながら説明する。
図１乃至図３は本発明にかかる空気調和機の室内ユニットを示しており、図１は室内ユニットの正面図で、図２及び図３はそれぞれ図１における線Ｉ−Ｉ及び線II−IIに沿った断面図である。
【００２０】
図１乃至図３に示されるように、室内ユニット本体２の内部には、熱交換器４と、熱交換器４を通して室内空気を取り入れ、熱交換器４で熱交換された空気を室内に吹き出すためのファン６と、熱交換器４の上流側に配設されたフィルタ装置８とが収容されており、本体２の前面から上面に渡り形成された複数の吸込口からファン６の動作により空気が吸い込まれ、空気中に漂う塵埃は、吸込口と熱交換器４との間に設けられたフィルタ装置８により取り除かれる。
【００２１】
図４及び図５に示されるように、フィルタ装置８は、フィルタ枠１０と、フィルタ枠１０に着脱自在に取り付けられたエアフィルタ１２と、エアフィルタ１２の上流側の面に沿って左右方向（水平方向）に摺動自在の吸引ノズル１４と、フィルタ枠１０の下端部に取り付けられるとともに吸引ノズル１４の一端に接続された屈曲自在の吸引ホース１６と、吸引ホース１６に接続され空気と共に塵埃を吸引して排気及び排塵を行う排気ファン１８と、排気ファン１８に一端が接続され他端が室外に開口した排気ダクト（図示せず）とを備えている。フィルタ枠１０の片側（図４では右側）には、エアフィルタ１２の清掃時以外に吸引ノズル１４を保持する吸引ノズル保持部１０ａが形成されており、エアフィルタ１２は、吸引ノズル保持部１０ａを除くフィルタ枠１０に着脱自在に取り付けられている。
【００２２】
吸引ホース１６は、その一端部が排気ファン１８に接続される一方、その他端部は排気ファン１８から見て吸引ノズル１４の下端部における反対側の側面に接続されており、その中間部は略Ｕ字状に屈曲している。また、吸引ホース１６の長さは、吸引ノズル１４がフィルタ枠１０の吸引ノズル保持部１０ａに位置したとき、吸引ホース１６が多少ゆとりをもって屈曲できるように設定されている。なお、排気ファン１８に屈曲性のない吸引ダクトの一端を接続するとともに、吸引ダクトを本体２の幅方向における中央部近傍まで延在させ、吸引ダクトの他端に吸引ホース１６を接続するようにしてもよい。
【００２３】
図４乃至図８に示されるように、吸引ノズル１４は、縦長に形成されて中間部が屈曲しており、エアフィルタ１２に面する側に所定幅のスリット状の吸入口が設けられている。また、吸引ノズル１４の内部には、吸入口に沿って摺動しループ状に形成された所定幅のフィルム状ベルト１９が収容され、ベルト１９には所定幅の吸引孔１９ａが形成されるとともに、エアフィルタ１２に付着した塵埃の除去効率を向上させるためのブラシ２１が吸引孔１９ａに隣接して設けられている。吸引孔１９ａは吸入口と重なる位置に形成されており、その長さは、例えば吸入口の全長の１／１６に設定されている。ベルト１９は、吸引ノズル１４に固定されたステッピングモータ２０により上下方向のいずれにも自由に駆動できるように構成されている。上述したように、ベルト１９はループ状に形成されているが、リール等を設けてベルト１９を巻き取るように構成することもできる。
【００２４】
吸引ノズル１４はさらに、下端部に取り付けられた二つのローラ２２と、上端部に取り付けられた一つのローラ２４とを有しており、図９及び図１０に示されるように、これら複数のローラ２２，２４にはガイド溝２２ａ，２４ａが形成されている。また、下端部のローラ２２は、フィルタ枠１０の下端部に設けられた略コ字状の下部レール２６に摺動自在に取り付けられており、下部レール２６に形成された１条の凸部２６ａがローラ２２のガイド溝２２ａに遊挿されている。一方、上端部のローラ２４は、フィルタ枠１０の上端部に螺着された板金製保持部材２８に摺動自在に保持されており、フィルタ枠１０の上端部に形成された１条の凸部１０ｂがローラ２４のガイド溝２４ａに遊挿されている。
【００２５】
なお、エアフィルタ１２はフィルタ枠１０に着脱自在に取り付けられているが、フィルタ枠１０は本体２の一部であってもよく、エアフィルタ１２を本体２に固定し、着脱できない構成にしてもよい。
【００２６】
フィルタ枠１０の下端部には、幅方向全長にわたって延びるラック３０が一体的に形成されており、ラック３０の前方には平行に延びる駆動軸３２が設けられ、ラック３０と噛み合うウォームギヤ３４が駆動軸３２に摺動自在に取り付けられている。駆動軸３２は軸心に直交する方向の断面が六角形を呈しており、その一端はフィルタ枠１０の片側（図４では左側）に回動自在に取り付けられるとともに、その他端はフィルタ枠１０の反対側に設けられた駆動源としてのギヤボックス３６に挿入されている。また、ウォームギヤ３４は、その中央部に形成されたギヤ部３４ａと、その両端部に形成された円筒部３４ｂと、軸心に沿って延びる六角形の駆動軸挿入孔を有し、この駆動軸挿入孔に駆動軸３２は遊挿されている。
【００２７】
一方、吸引ノズル１４の下端部には、駆動連結部材３８が取り付けられており、駆動連結部材３８は、吸引ノズル１４に螺着される基部３８ａと、基部３８ａから前方に向かって延びる二つのフック３８ｂとを備えている。二つのフック３８ｂの間にはウォームギヤ３４のギヤ部３４ａが遊挿されるギヤ収容スペース３８ｃが形成されており、ギヤ収容スペース３８ｃの長さはギヤ部３４ａの長さより僅かに長く設定されている。また、ウォームギヤ３４は、その両端部に形成された円筒部３４ｂが駆動連結部材３８の二つのフック３８ｂに係止されることで、駆動連結部材３８と一体的に左右方向に摺動する。
【００２８】
また、ギヤボックス３６は、図１１乃至図１５に示されるように、ケーシング４０に収容されたギヤ付きステッピングモータ４２と減速機構とを有し、減速機構は、ステッピングモータ４２のギヤと噛み合う第１ギヤ４４と、第１ギヤ４４と噛み合う第２ギヤ４６と、第２ギヤ４６と噛み合う第３ギヤ４８と、第３ギヤ４８と噛み合う出力ギヤ５０とにより構成されている。出力ギヤ５０には六角形の駆動軸挿入孔５０ａが形成されており、駆動軸３２の一端が駆動軸挿入孔５０ａに挿入されている。
【００２９】
上記構成のフィルタ装置８の動作を以下説明する。
空気調和機の運転停止後に、排気ファン１８が運転を開始すると、吸引ホース１６に連通する吸引ノズル１４の吸入口から空気を吸い込み始める。同時にステッピングモータ４２に通電されて、減速機構を介して駆動軸３２及びウォームギヤ３４が一体的に回転する。ウォームギヤ３４はフィルタ枠１０の下端部に形成されたラック３０と噛み合っていることから、ウォームギヤ３４は図４の矢印Ａの方向に摺動することになるので、初期位置（フィルタ枠１０の吸引ノズル保持部１０ａ）に保持されていた吸引ノズル１４はエアフィルタ１２の一端側から他端側に向かって矢印Ａの方向に摺動しながら、エアフィルタ１２の表面に付着した塵埃を吸い取り、排気ダクトを介して室外へ排出する。吸引ノズル１４がエアフィルタ１２の表面の一部を全面清掃し、エアフィルタ１２の他端側に到達すると、ステッピングモータ２０が作動して吸引孔１９ａが形成されたベルト１９が所定の長さ（吸引孔１９ａの長さに相当）だけ上昇した後、ステッピングモータ４２が逆回転する。その結果、吸引ノズル１４は初期位置に戻る方向に移動して、再度エアフィルタ１２の表面を清掃する。
【００３０】
なお、吸引ノズル１４の摺動に際し、吸引ノズル１４に設けられた複数のローラ２２，２４が、下部レール２６に形成された凸部２６ａ及びフィルタ枠１０の上端部に形成された凸部１０ｂに沿ってそれぞれ回転するが、ラック３０にウォームギヤ３４が嵌合していることから、ラック３０から離反する方向の力が駆動軸３２に加わる。しかしながら、下部レール２６の凸部２６ａがローラ２２のガイド溝２２ａに遊挿されていることから、ラック３０から離反する方向への駆動軸３２の撓みが防止され、凸部２６ａが駆動軸３２の撓み防止手段として作用する。
【００３１】
また、フィルタ枠１０の両端部にはそれぞれ一つのリミットスイッチ（図示せず）が取り付けられており、リミットスイッチが電気的に接続された制御器（図示せず）により吸引ノズル１４の駆動制御を行っている。
【００３２】
この駆動制御を下記の数値を例にとり図１６のフローチャートを参照しながらさらに詳述する。
・ラック長さ：７０８ｍｍ
・ラックの歯数：２２４
・ラック全長をノズルが１方向に移動するのに必要なパルス数：２６２５０パルス
・１秒当たりのパルス数：２５０パルス／秒
【００３３】
この場合、吸引ノズル１４が正常に左右方向に摺動すれば、１０５（２６２５０／２５０）秒で吸引ノズル１４がラック全長を１方向に移動することになる。以下の説明では、エアフィルタ１２を上下方向に１６等分し、下から順に１段目（最下段）、２段目、３段目、…、１６段目（最上段）と呼ぶものとする。
【００３４】
出荷時あるいはリセット時には吸引孔１９ａは、フィルタ枠１０の初期位置（吸引ノズル保持部１０ａ）の下端部に位置しており、ステップＳ１において空気調和機が運転された後停止すると、ステップＳ２において吸引ノズル１４がエアフィルタ１２の一端側から他端側に向かって矢印Ａの方向に摺動しながら、エアフィルタ１２の最下段表面に付着した塵埃を吸引し、排気ファン１８により排気ダクトを介して排気（排塵）する。
【００３５】
次のステップＳ３において所定数のパルス（２６２５０パルス）がステッピングモータ４２に印可されたかどうかを判定し、所定数のパルスが印可されていればステップＳ４に移行する一方、所定数のパルスが印可されていない場合にはステップＳ３の判定を繰り返す。ステップＳ４においては、フィルタ枠１０の排気ファン１８側に配置されたリミットスイッチに入力があったかどうかを判定し、入力があった場合には、ステップＳ５において吸引孔１９ａを有するベルト１９をステッピングモータ２０によりエアフィルタ１２の２段目まで上昇させた後、ステッピングモータ４２を逆回転させて吸引ノズル１４を矢印Ａの逆方向に初期位置に向かって摺動させる。
【００３６】
次のステップＳ６において所定数のパルス（２６２５０パルス）がステッピングモータ４２に印可されたかどうかを判定し、所定数のパルスが印可されていればステップＳ７に移行する一方、所定数のパルスが印可されていない場合にはステップＳ６の判定を繰り返す。ステップＳ７においては、フィルタ枠１０の初期位置側に配置されたリミットスイッチに入力があったかどうかを判定し、入力があった場合には、ステップＳ８において吸引ノズル１４を停止させる。
【００３７】
ステップＳ９においては、吸引孔１９ａがエアフィルタ１２の最上段に到達したかどうかを判定し、最上段に到達していると判定されると、ステップＳ１０において吸引孔１９ａを最下段まで移動させる一方、吸引孔１９ａがエアフィルタ１２の最上段にはまだ到達していないと判定されると、吸引孔１９ａはその位置（初期位置）に待機する。
【００３８】
ステップＳ１１において空気調和機が再度運転された後停止すると、ステップＳ１２において所定時間（例えば、２４時間）経過したかどうかを判定し、所定時間経過したと判定されると、ステップＳ１３においてベルト１９を１段上昇させ、ステップＳ２に戻る。一方、ステップＳ１２において所定時間がまだ経過していないと判定されると、ステップＳ１１に戻る。
【００３９】
なお、ステップＳ４あるいはステップＳ７において、リミットスイッチに入力がないと判定されると、ステップＳ１４に移行し、吸引ノズル１４が所定時間（１０５秒）内に所定の位置（フィルタ枠１０のいずれかの端部）に到達していないと判断し、吸引ノズル１４の作動不良を室内ユニット本体に設けられた表示部に表示するか、あるいは音声告知する。すなわち、二つのリミットスイッチは吸引ノズル１４の作動不良を検出するノズル作動不良検出手段として作用し、エアフィルタ１２の脱着によりエアフィルタ１２がフィルタ枠１０に確実に取り付けられていない場合等に吸引ノズル１４がエアフィルタ１２の一部に当接して作動不能に陥ることがあり、このような場合には、居住者に告知するようにしている。
【００４０】
この例では、空気調和機が１日１回運転されると仮定すると、吸引ノズル１４はエアフィルタ１２上を１日に１往復してエアフィルタ１２全面の２／１６の面積を清掃することになり、８日間でエアフィルタ１２の全面清掃を完了する。
【００４１】
また、空気調和機が連続運転される場合、その運転累積時間が所定の時間（例えば、２４時間）を超えると、吸引ノズル１４を強制的に１往復動作させるように設定することもできる。
【００４２】
さらに、遠隔操作装置（リモコン）に清掃ボタンを設け、清掃ボタンを押下することによりエアフィルタ１２の全面清掃を行うようにすることもできる。
【００４３】
なお、上記実施の形態において、駆動軸３２は軸心に直交する方向の断面が六角形を呈していると記載したが、断面形状は六角形に限定されるものではなく、六角形以外の多角形あるいは略Ｄ字状等の断面形状を有するものであってもよい。この場合、駆動軸３２が遊挿されるウォームギヤ３４の駆動軸挿入孔及び出力ギヤ５０の駆動軸挿入孔５０ａは、駆動軸３２の断面形状に対応した断面形状を呈することになる。
【００４４】
また、上記実施の形態においては、駆動源であるステッピングモータ４２からの動力伝達手段として駆動軸３２とウォームギヤ３４とラック３０とを採用したが、図１７及び図１８に示されるように、減速ギヤの出力ギヤ５０に雄ねじを有する駆動軸５４を取り付けるとともに、吸引ノズル１４の下端部に取り付けられた駆動連結部材５６に雌ねじを形成し、駆動軸５４と駆動連結部材５６とを螺合させて動力伝達手段を構成することもできる。この場合、ステッピングモータ４２により駆動軸５４を駆動することにより駆動連結部材５６と吸引ノズル１４とが一体的に摺動する。
【００４５】
さらに、上記実施の形態において、ラック３０はフィルタ枠１０の下端部に一体的に形成されているが、フィルタ枠１０とは別体のラックを形成し、フィルタ枠１０に固定するようにしてもよい。
【産業上の利用可能性】
【００４６】
本発明にかかる空気調和機によれば、室内ユニットに設けられたフィルタ装置の吸引ノズルの摺動をウォームギヤとラックとの嵌合あるいは雄ねじと雌ねじとの螺合により行うようにしたので、構成が簡素で駆動源からの駆動力伝達が確実に行われることになり、家庭用空気調和機として有用である。
【図面の簡単な説明】
【００４７】
【図１】本発明にかかる空気調和機を構成する室内ユニットの正面図である。
【図２】図１の線Ｉ−Ｉに沿った断面図である。
【図３】図１の線II−IIに沿った断面図である。
【図４】図１の室内ユニットに設けられたフィルタ装置の斜視図である。
【図５】図４のフィルタ装置に設けられた吸引ノズルとその駆動機構の分解斜視図である。
【図６】図４のフィルタ装置の部分分解斜視図である。
【図７】吸引ノズルの斜視図である。
【図８】吸引ノズルと駆動機構の側面図である。
【図９】吸引ノズルの下端部の側面図である。
【図１０】吸引ノズルの上端部の側面図である。
【図１１】図４のフィルタ装置に設けられたギヤボックスの正面図であり、ケーシングの一部を取り除いた状態を示している。
【図１２】図１１の線ＸII−ＸIIに沿った断面図である。
【図１３】図１１の線ＸIII−ＸIIIに沿った断面図である。
【図１４】図１１の線ＸIV−ＸIVに沿った断面図である。
【図１５】図１１の線ＸＶ−ＸＶに沿った断面図である。
【図１６】制御器による吸引ノズルの駆動制御を示すフローチャートである。
【図１７】駆動機構の変形例を示しており、駆動機構を構成する駆動軸の軸心に垂直な方向の断面図である。
【図１８】図１７に示される駆動機構の駆動軸に沿った断面図である。
【符号の説明】
【００４８】
２  室内ユニット本体、  ４  熱交換器、  ６  ファン、  ８  フィルタ装置、
１０  フィルタ枠、  １０ａ  吸引ノズル保持部、  １０ｂ  凸部、
１２  エアフィルタ、  １４  吸引ノズル、  １６  吸引ホース、
１８  排気ファン、  １９  ベルト、  １９ａ  吸引孔、
２０  ステッピングモータ、  ２１  ブラシ、  ２２，２４  ローラ、
２２ａ，２４ａ  ガイド溝、  ２６  下部レール、  ２８  保持部材、
３０  ラック、  ３２  駆動軸、  ３４  ウォームギヤ、  ３４ａ  ギヤ部、
３４ｂ  円筒部、  ３６  ギヤボックス、  ３８  駆動連結部材、  ３８ａ  基部、
３８ｂ  フック、  ３８ｃ  ギヤ収容スペース、  ４０  ケーシング、
４２  ステッピングモータ、  ４４  第１ギヤ、  ４６  第２ギヤ、
４８  第３ギヤ、  ５０  出力ギヤ、  ５０ａ  駆動軸挿入孔、  ５４  駆動軸、
５６  駆動連結部材。
【図１】
2006132903.tif 000003
【図２】
2006132903.tif 000004
【図３】
2006132903.tif 000005
【図４】
2006132903.tif 000006
【図５】
2006132903.tif 000007
【図６】
2006132903.tif 000008
【図７】
2006132903.tif 000009
【図８】
2006132903.tif 000010
【図９】
2006132903.tif 000011
【図１０】
2006132903.tif 000012
【図１１】
2006132903.tif 000013
【図１２】
2006132903.tif 000014
【図１３】
2006132903.tif 000015
【図１４】
2006132903.tif 000016
【図１５】
2006132903.tif 000017
【図１６】
2006132903.tif 000018
【図１７】
2006132903.tif 000019
【図１８】
2006132903.tif 000020